(57)【特許請求の範囲】
【請求項１】
下はぜ部と上はぜ部とが形成された所定幅寸法の金属製薄板を屋根形成用の板材として用い、野地面に葺かれた金属製薄板の下はぜ部に、次に葺こうとする金属製薄板の上はぜ部を係止させて勾配屋根を形成する屋根の構築方法において、前記野地面に前記金属製薄板が葺かれた場合に、当該薄板よりも屋根勾配方向上方の野地面部分に、幅寸法が前記金属製薄板の上はぜ部と下はぜ部の間に収容可能な大きさに予め切断されるとともに巻いた状態で持ち運び可能かつ任意の長さ位置で切断可能に構成された柔軟な発泡樹脂製シートを載置し、しかる後に次の金属製薄板をその上はぜ部が下側の金属製薄板の下はぜ部と係止しかつ当該次の金属製薄板裏面と前記野地面との間に発泡樹脂製シートが密に介装されるように葺くことを特徴とする屋根の構築方法。
【発明の詳細な説明】
【０００１】
【発明の属する技術分野】
本発明は、野地面に葺かれた金属製薄板の下はぜ部に、次に葺こうとする金属製薄板の上はぜ部を係止させて勾配屋根を形成する屋根の構築方法に関する。
【０００２】
【従来技術】
屋根形成用の板材を、勾配を有する野地面（野地板の表面）に下方から上方へ向けて順次葺くことにより屋根を形成する屋根の構築方法が従来より知られている。
【０００３】
具体的には、かかる屋根の構築方法では、図４および図５に示すように、下はぜ部１１と上はぜ部１２とが形成された所定幅寸法の金属製薄板１０が屋根形成用の板材として用いられている。なお、図４および図５に示す金属製薄板１０の下はぜ部１１は、たたみはぜ形状とされており、当該下はぜ部１１の先方には被固定部１３が一体形成されている。
【０００４】
そして、野地面４に葺かれた金属製薄板１０の下はぜ部１１に、次に葺こうとする金属製薄板１０の上はぜ部１２を係止させてはぜ締めし、かつ当該薄板１０の被固定部１３を釘１５で野地板３に固定する。このような金属製薄板１０の葺き作業を屋根勾配方向下方から上方へ向けて順次行うことにより、勾配屋根を形成するものとされている。
【０００５】
なお、図４および図５において、２は垂木、５は下葺材としてのアスファルトルーフィングである。
【０００６】
【発明が解決しようとする課題】
ところで、上記屋根では、金属製薄板１０が屋根形成
用の板材として用いられているので、当該金属製薄板１０に雨水などが当たった場合には振動して大きな音（騒音）が発生しやすい。また、十分に熱を遮断することができず断熱性能が悪い欠点も有する。
【０００７】
そこで、上記不都合を解消する一方策として、金属製薄板１０の裏面にポリエチレンフォーム等からなる発泡樹脂製シート（図示省略）を接着剤で接着して防音・断熱性向上を図ることがなされている。ここで、上記発泡樹脂製シートを金属製薄板１０の裏面に接着する方法としては、接着剤の塗布機や貼付装置を用いる機械貼り法と、塗布ロール等を用いる手貼り法とがある。
【０００８】
しかし、上記機械貼り法は、発泡樹脂製シートの接着作業を大量に行う場合には適しているものの、専用の機械（塗布機等）を備えなければならず設備費が嵩む欠点を有する。一方、手貼り法は、設備費が嵩むことはないものの、接着作業に非常に手間がかかる。また接着作業を行う者が接着剤中の溶剤（ガス）を吸い込んで健康を害したり、引火して火災等が発生するおそれがある。
【０００９】
また、いずれの接着方法でも、接着剤が十分な接着機能を発揮するまでには、相当程度の時間（例えば、１２時間）が必要であるので、屋根を構築するには長時間かかることになる。
【００１０】
本発明の目的は、防音性能および断熱性能が優れた屋根を形成することができるとともに、屋根形成作業を迅速かつ容易に行える屋根構築方法を提供することにある。また、防音性能および断熱性能が優れた屋根を迅速かつ容易に形成するのに役立つ発泡樹脂製シートを提供することも目的とする。
【００１１】
【課題を解決するための手段】
上記目的を達成するために、請求項１の発明は、下はぜ部と上はぜ部とが形成された所定幅寸法の金属製薄板を屋根形成用の板材として用い、野地面に葺かれた金属製薄板の下はぜ部に、次に葺こうとする金属製薄板の上はぜ部を係止させて勾配屋根を形成する屋根の構築方法において、前記野地面に前記金属製薄板が葺かれた場合に、当該薄板よりも屋根勾配方向上方の野地面部分に、幅寸法が前記金属製薄板の上はぜ部と下はぜ部の間に収容可能な大きさに予め切断されるとともに巻いた状態で持ち運び可能かつ任意の長さ位置で切断可能に構成された柔軟な発泡樹脂製シートを載置し、しかる後に次の金属製薄板をその上はぜ部が下側の金属製薄板の下はぜ部と係止しかつ当該次の金属製薄板裏面と前記野地面との間に発泡樹脂製シートが密に介装されるように葺くことを特徴とするものである。
【００１２】
上記請求項１の発明では、金属製薄板裏面と野地面との間に発泡樹脂製シートが密に介装されるので、金属製薄板に雨水等が当たった場合に当該薄板が振動するのを発泡樹脂製シートが迅速に吸収する。また、金属製薄板を介しての熱の出入りも高断熱性能を有する発泡樹脂製シートによって抑えられる。また、発泡樹脂製シートは野地面に載置するだけであるので、従来例のように面倒な接着作業を行う必要がない。
【００１３】
そのため、防音性能および断熱性能が優れた屋根を形成することができるとともに、屋根形成作業を迅速かつ容易に行うことができる。
【００１４】
また、発泡樹脂製シートは、改めて整形する必要が無く野地面に載置するだけであるので、従来のように面倒な接着作業等を行う必要がない。また、発泡樹脂製シートは巻いた状態で持ち運べるので、高所の屋根作業場まで上げるのも容易である。また、発泡樹脂製シートを野地面上を転がしながら巻き解き任意位置で切断できるので、当該シートの占有スペースを最小とした状態で屋根形成作業を行える。したがって、作業者が野地面上で動きやすく、シートに足を引っ掛けるなどして転落する事故も防止できる。
【００１５】
【発明の実施の形態】
本発明の実施の形態を図面を参照しながら説明する。
【００１６】
本発明に係る屋根構築方法は、図１に示すように、基本的構成は従来の屋根構築方法（図４，図５）と共通するが、野地面４に金属製薄板１０が葺かれた場合に、当該薄板１０よりも屋根勾配方向上方の野地面４部分に、柔軟で所定の幅寸法を有する発泡樹脂製シート２０を載置し、しかる後に次の金属製薄板１０をその上はぜ部１２が下側の金属製薄板１０の下はぜ部１１と係止しかつ当該次の金属製薄板１０裏面と野地面４との間に上記発泡樹脂製シート２０が密に介装されるように葺くものとされている。
【００１７】
そして、発泡樹脂製シート２０は、幅寸法が金属製薄板１０の上はぜ部１２と下はぜ部１１との間に収容可能な大きさとされるとともに、巻いて持ち運び可能かつ任意位置で切断可能に構成されている。
【００１８】
この実施形態では、野地面４上には、下葺材としてアスファルトルーフィング５が敷設されている。下葺材は、主に防水性能の向上を目的とするものであり、上記したアスファルトルーフィング５の他に、アスファルトフェルト、合成高分子シート、こけら板、樹皮等を使用することもできる。
【００１９】
また、金属製薄板１０としては、溶融亜鉛めっき鋼板や亜鉛，アルミ合金めっき鋼板等の表面処理鋼板、めっきステンレス鋼板等の特殊鋼鋼板、アルミニウム合金板、銅および銅合金板、亜鉛および鉛板、チタン板、クラッド板等が使用できる。
【００２０】
この実施形態では、金属製鋼板１０としては、いわゆるカラー鉄板が使用されており、厚さ０．３５ｍｍ、全幅寸法Ｌ１＝２３７ｍｍ、有効幅寸法Ｌ２＝１８０ｍｍ、上はぜ部１１と下はぜ部１２との間の間隔Ｌ３＝１６０ｍｍとされている。
【００２１】
また、上記発泡樹脂製シート２０は、発泡ポリウレタン樹脂から形成されており、厚さｔ＝８ｍｍ、幅寸法Ｌ４が１５０ｍｍとされている。なお、発泡樹脂製シート２０を他の発泡樹脂材料、例えば発泡スチレン系樹脂、発泡ポリプロピレン、発泡ポリイソシアヌレート系樹脂、発泡フェノール系樹脂等から形成してもよい。
【００２２】
上記した屋根構築方法では、金属製薄板１０の裏面と野地面４（より詳しくは、野地面４上のアスファルトルーフィング５）との間に発泡樹脂製シート２０が密に介装されているので、金属製薄板１０に雨水等が当たった場合に当該薄板１０が振動するのを発泡樹脂製シート２０が迅速に吸収する。また、金属製薄板１０を介しての熱の出入りも高断熱性能を有する発泡樹脂製シート２０によって抑えられる。また、発泡樹脂製シート２０は野地面に載置するだけであるので、従来例のように面倒な接着作業を行う必要がない。
【００２３】
また、発泡樹脂製シート２０は巻いた状態で持ち運べるので、高所の屋根作業場まで上げるのも容易である。また、発泡樹脂製シート２０を、図３に示すように、野地面４（アスファルトルーフィング５）上を転がしながら巻き解き任意位置で切断できるので、当該シート２０の占有スペースを最小とした状態で屋根形成作業を行える。したがって、作業者が屋根形成作業面（葺かれた薄板１０上やアスファルトルーフィング５上など）で動きやすく、シート２０に足を引っ掛けるなどして転落する事故も防止できる。
【００２４】
したがって、防音性能および断熱性能に優れ、かつ安全・簡単に屋根を形成できる屋根の構築方法を提供することができる。
【００２５】
また、発泡樹脂製シート２０は巻いた状態で持ち運べるので、高所の屋根作業場まで上げるのも容易である。
【００２６】
また、発泡樹脂製シート２０を、図３に示すように、野地面４（アスファルトルーフィング５）上を転がしながら巻き解き任意位置で切断できるので、当該シート２０の占有スペースを最小とした状態で屋根形成作業を行える。したがって、作業者が屋根形成作業面（葺かれた薄板１０上やアスファルトルーフィング５上など）で動きやすく、シート２０に足を引っ掛けるなどして転落する事故も防止できる。
【００２７】
したがって、屋根の防音性能および断熱性能を向上させることができ、屋根の形成作業の迅速化および容易化にも寄与する発泡樹脂製シート２０を提供することができる。
【００２８】
【発明の効果】
請求項１の発明によれば、野地面上に金属製薄板が葺かれた場合に、当該薄板よりも屋根勾配方向上方の野地面部分に、柔軟で所定の幅寸法を有する発泡樹脂製シートを載置し、しかる後に次の金属製薄板をその上はぜ部が下側の金属製薄板の下はぜ部と係止しかつ当該次の金属製薄板裏面と野地面との間に発泡樹脂製シートが密に介装されるように葺くので、防音性能および断熱性能が優れた屋根を形成することができるとともに、屋根形成作業を迅速かつ容易に行える。
【００２９】
また、発泡樹脂製シートは、その幅寸法が金属製薄板の上はぜ部と下はぜ部の間に収容可能な大きさとされるとともに、巻いて持ち運び可能かつ任意位置で切断可能とされているので、防音性能および断熱性能が優れた屋根を迅速かつ容易に形成するのに役立つ。また、発泡樹脂製シートは巻いた状態で持ち運べるので、高所の屋根作業場まで上げるのも容易である。また、発泡樹脂製シートを野地面上を転がしながら巻き解き任意位置で切断できるので、当該シートの占有スペースを最小とした状態で屋根形成作業を行える。したがって、作業者が野地面上で動きやすく、シートに足を引っ掛けるなどして転落する事故も防止できる。
【図面の簡単な説明】
【図１】本発明の実施形態を説明するための図である。
【図２】同じく、金属製薄板と発泡樹脂製シートとの位置関係を説明するための図である。
【図３】同じく、発泡樹脂製シートの使用態様を説明するための図である。
【図４】従来の屋根の構築方法を説明するための図である。
【図５】従来の屋根の構築方法の欠点を説明するための図である。
【符号の説明】
２ 垂木
３ 野地板
４野地面
５ アスファルトルーフィング
１０ 金属製薄板
１１ 下はぜ部
１２ 上はぜ部
１３ 被固定部
１５ 釘
２０ 発泡樹脂製シート
【図１】
0004496679.tif 000002
【図２】
0004496679.tif 000003
【図３】
0004496679.tif 000004
【図４】
0004496679.tif 000005
【図５】
0004496679.tif 000006